(57)【特許請求の範囲】
【請求項１】
カウンセリングを利用するユーザに対するカウンセリングの候補となる疾患群に含まれる各疾患の名称を、当該ユーザに対するカウンセリングにおける各疾患の重要度が識別可能となるように表示する表示画面を生成する表示画面生成部
を備え、
上記表示画面生成部は、上記表示画面において、各疾患の名称の周囲に表示されるシンボルを各疾患の重要度に応じて異ならせ、
上記各疾患の重要度は、上記ユーザの各疾患に対する関心の度合いを示す情報および上記ユーザの各疾患に関する遺伝子検査結果を示す情報に応じた重要度であり、
上記表示画面生成部は、上記表示画面において、上記関心の度合いが所定の度合いより高い疾患に対応する上記シンボルに、第一の色の領域を含ませると共に、上記遺伝子検査結果が所定の基準より悪い疾患に対応する上記シンボルに、第一の色とは異なる第二の色の領域を含ませることを特徴とする表示画面生成装置。
【請求項２】
上記疾患群は、上記ユーザの各疾患に対する関心の度合いを示す情報および上記ユーザの各疾患に関する遺伝子検査結果を示す情報の少なくとも一方に応じた疾患群であることを特徴とする請求項１に記載の表示画面生成装置。
【請求項３】
上記各疾患の重要度は、上記ユーザの各疾患に対する関心の度合いを示す情報に応じた重要度であることを特徴とする請求項１または２に記載の表示画面生成装置。
【請求項４】
上記各疾患の重要度は、上記ユーザの各疾患に関する遺伝子検査結果を示す情報に応じた重要度であることを特徴とする請求項１〜３の何れか一項に記載の表示画面生成装置。
【請求項５】
上記ユーザの各疾患に対する関心の度合いを示す情報に応じて上記疾患群を特定する疾患特定部と、
上記ユーザの各疾患に対する関心の度合いを示す情報および上記ユーザの各疾患に関する遺伝子検査結果を示す情報に応じて上記各疾患に重要度を付与する重要度付与部と、をさらに備えていることを特徴とする請求項１〜４の何れか一項に記載の表示画面生成装置。
【請求項６】
上記表示画面生成部は、上記表示画面において、各疾患の名称を、各疾患の重要度に応じた順序に配列することを特徴とする請求項１〜５の何れか一項に記載の表示画面生成装置。
【請求項７】
上記表示画面生成部は、上記表示画面において、各疾患の名称の、文字の色、文字の大きさ、文字のフォント、囲みの色、および、囲みの形状からなる群より選択される少なくとも一つを各疾患の重要度に応じて異ならせることを特徴とする請求項１〜６の何れか一項に記載の表示画面生成装置。
【請求項８】
上記表示画面生成部は、上記表示画面において、各疾患に関連する因子毎に、各疾患の名称を示すことを特徴とする請求項１〜６の何れか一項に記載の表示画面生成装置。
【請求項９】
上記表示画面生成部は、任意の疾患に関連するコンテンツを表示する第二の表示画面、および、第二の表示画面において表示するコンテンツを選択するための入力画面をさらに生成し、
上記入力画面には、選択対象となるコンテンツの名称が配列されており、
上記表示画面生成部は、上記入力画面において、各コンテンツの名称を、当該コンテンツに関連する疾患の重要度に応じた順序に配列することを特徴とする請求項１〜８の何れか一項に記載の表示画面生成装置。
【請求項１０】
請求項１〜９の何れか一項に記載の表示画面生成装置と、
当該表示画面生成装置が生成した表示画面を表示するカウンセラ端末と、
当該カウンセラ端末が表示中の表示画面を表示すると共に、当該カウンセラ端末と音声通話する、カウンセリングを利用するユーザの端末と、を備えていることを特徴とするカウンセリングシステム。
【請求項１１】
カウンセリングを利用するユーザに対するカウンセリングの候補となる疾患群に含まれる各疾患の名称を、当該ユーザに対するカウンセリングにおける各疾患の重要度を識別可能に表示する表示画面を生成する表示画面生成ステップ
を含み、
上記表示画面生成ステップで、上記表示画面において、各疾患の名称の周囲に表示されるシンボルを各疾患の重要度に応じて異ならせ、
上記各疾患の重要度は、上記ユーザの各疾患に対する関心の度合いを示す情報および上記ユーザの各疾患に関する遺伝子検査結果を示す情報に応じた重要度であり、
上記表示画面生成ステップで、上記表示画面において、上記関心の度合いが所定の度合いより高い疾患に対応する上記シンボルに、第一の色の領域を含ませると共に、上記遺伝子検査結果が所定の基準より悪い疾患に対応する上記シンボルに、第一の色とは異なる第二の色の領域を含ませることを特徴とする表示画面生成方法。
【請求項１２】
請求項１〜９の何れか一項に記載の表示画面生成装置としてコンピュータを機能させるためのプログラムであって、コンピュータを上記表示画面生成部として機能させるためのプログラム。
【請求項１３】
請求項１２に記載のプログラムを記録したコンピュータ読み取り可能な記録媒体。
【発明の詳細な説明】
【技術分野】
【０００１】
本発明は、カウンセリングを支援するための表示画面を生成する表示画面生成装置および当該表示画面生成装置を備えるカウンセリングシステムならびにその関連技術に関するものである。
【背景技術】
【０００２】
従来、受診者の健康状態の改善を目指して、健康診断結果や生体情報等を用いることによって、健康情報の提供、生活習慣等に関するアドバイスを行うサービスが知られている。
【０００３】
例えば、特許文献１には、被験者であるユーザの生体情報（血液検査の結果など）を取得し、その生体情報から生活習慣病等の可能性を示す疾病および疾患のリスクを評価し、その評価結果を当該ユーザの端末に送信する健康診断情報提供装置、および、その方法が開示されている。
【０００４】
また、非特許文献１には、スマートフォンを利用してダイエット指導を行うサービスが記載されている。非特許文献１には、ユーザに対し、（ｉ）遺伝子検査、血液検査およびアンケートに基づく、栄養士によるダイエット方法の指導、（ｉｉ）栄養士との電話等による相談、ならびに、（ｉｉｉ）毎日の食事および体重に基づく栄養士の指導等をメールによって提供することが記載されている。
【先行技術文献】
【特許文献】
【０００５】
【特許文献１】特開２０１３−１９１０２０号公報（２０１３年９月２６日公開）
【非特許文献】
【０００６】
【非特許文献１】「ＦｉＮＣ（フィンク）完全成果保証ダイエット家庭教師」、２０１４年７月１７日にｈｔｔｐｓ：／／ｄｉｅｔｃｏａｃｈ．ｆｉｎｃ．ｃｏ．ｊｐ／よりダウンロード
【発明の概要】
【発明が解決しようとする課題】
【０００７】
これらの従来技術とは異なり、本発明者らは、独自の知見に基づき、ユーザが関心を有する疾患について、カウンセリングを利用するユーザとカウンセラとの間で、対話によるカウンセリングを行うことを鋭意検討している。対話によるカウンセリングによれば、ユーザは、個人個人に応じた高品質なアドバイスを受けることができる。
【０００８】
しかしながら、対話によるカウンセリングを行うためには、ユーザおよびカウンセラにおいて、一定の長さの時間を確保することが必要である。ゆえに、限られた時間の中での効率的なカウンセリングを支援する技術は非常に有用である。
【０００９】
本発明は、上記の課題に鑑みてなされたものであり、ユーザが関心を有する疾患についての効率的なカウンセリングを支援する技術を提供することを主たる目的とする。
【課題を解決するための手段】
【００１０】
上記課題を解決するために、本発明に係る表示画面生成装置は、カウンセリングを利用するユーザに対するカウンセリングの候補となる疾患群に含まれる各疾患の名称を、当該ユーザに対するカウンセリングにおける各疾患の重要度が識別可能となるように表示する表示画面を生成する表示画面生成部を備えることを特徴とする。
【００１１】
上記の構成によれば、カウンセラは、表示画面を参照することにより、ユーザに関する疾患の重要度の違いが分かり、重要度の高い順にカウンセリングを進めることができるので、事前に準備することなく、ユーザが関心を有する疾患に関するカウンセリングを効率よく行うことができる。
【００１２】
上記表示画面生成装置では、上記疾患群は、上記ユーザの各疾患に対する関心の度合いを示す情報および上記ユーザの各疾患に関する遺伝子検査結果を示す情報の少なくとも一方に応じた疾患群であることが好ましい。
【００１３】
上記の構成によれば、上記ユーザの各疾患に対する関心の度合いを示す情報および上記ユーザの各疾患に関する遺伝子検査結果を示す情報の少なくとも一方に応じた疾患群をカウンセリングの候補とすることにより、ユーザが関心を有する疾患に関するカウンセリングを効率よく行うことができる。
【００１４】
上記表示画面生成装置では、上記各疾患の重要度は、上記ユーザの各疾患に対する関心の度合いを示す情報に応じた重要度であってもよい。
【００１５】
上記の構成によれば、上記ユーザの各疾患に対する関心の度合いを示す情報に応じた重要度が高い疾患をカウンセラが容易に識別することができるため、ユーザが関心を有する疾患に関するカウンセリングを効率よく行うことができる。
【００１６】
上記表示画面生成装置では、上記各疾患の重要度は、上記ユーザの各疾患に関する遺伝子検査結果を示す情報に応じた重要度であってもよい。
【００１７】
上記の構成によれば、上記ユーザの各疾患に関する遺伝子検査結果が悪い疾患をカウンセラが容易に識別することができるため、ユーザが関心を有する疾患に関するカウンセリングを効率よく行うことができる。
【００１８】
上記表示画面生成装置は、上記ユーザの各疾患に対する関心の度合いを示す情報に応じて上記疾患群を特定する疾患特定部と、上記ユーザの各疾患に対する関心の度合いを示す情報および上記ユーザの各疾患に関する遺伝子検査結果を示す情報に応じて上記各疾患に重要度を付与する重要度付与部と、をさらに備えていてもよい。
【００１９】
上記の構成によれば、上記表示画面生成装置は、ユーザに対するカウンセリングの候補となる疾患群および当該疾患群に含まれる各疾患の重要度を首尾よく取得することができる。
【００２０】
上記表示画面生成装置では、上記表示画面生成部は、上記表示画面において、各疾患の名称の周囲に表示されるシンボルを各疾患の重要度に応じて異ならせるものであってもよい。
【００２１】
上記の構成によれば、カウンセラは、各疾患の重要度を容易に把握することができる。
【００２２】
上記表示画面生成装置では、上記各疾患の重要度は、上記ユーザの各疾患に対する関心の度合いを示す情報および上記ユーザの各疾患に関する遺伝子検査結果を示す情報に応じた重要度であり、上記表示画面生成部は、上記表示画面において、上記関心の度合いが所定の度合いより高い疾患に対応する上記シンボルに、第一の色の領域を含ませると共に、上記遺伝子検査結果が所定の基準より悪い疾患に対応する上記シンボルに、第一の色とは異なる第二の色の領域を含ませるものであってもよい。
【００２３】
上記の構成によれば、カウンセラは、各疾患の重要度を容易に把握することができると共に、特定の種類の疾患を容易に選別することができる。
【００２４】
上記表示画面生成装置では、上記表示画面生成部は、上記表示画面において、各疾患の名称を、各疾患の重要度に応じた順序に配列するものであってもよい。
【００２５】
上記の構成によれば、上記の構成によれば、カウンセラは、各疾患の重要度を容易にで把握することができると共に、重要度の高い疾患を表示画面中において容易に探し出すことができる。
【００２６】
上記表示画面生成装置では、上記表示画面生成部は、上記表示画面において、各疾患の名称の、文字の色、文字の大きさ、文字のフォント、囲みの色、および、囲みの形状からなる群より選択される少なくとも一つを各疾患の重要度に応じて異ならせるものであってもよい。
【００２７】
上記の構成によれば、上記の構成によれば、カウンセラは、各疾患の重要度を容易に把握することができる。
【００２８】
上記表示画面生成装置では、上記表示画面生成部は、上記表示画面において、各疾患に関連する因子毎に、各疾患の名称を示すものであってもよい。
【００２９】
上記の構成によれば、カウンセラは、上記因子と上記疾患との対応関係を容易に把握することができるため、ユーザが関心を有する疾患に関するカウンセリングを効率よく行うことができる。
【００３０】
上記表示画面生成装置では、上記表示画面生成部は、任意の疾患に関連するコンテンツを表示する第二の表示画面、および、第二の表示画面において表示するコンテンツを選択するための入力画面をさらに生成し、上記入力画面には、選択対象となるコンテンツの名称が配列されており、上記表示画面生成部は、上記入力画面において、各コンテンツの名称を、当該コンテンツに関連する疾患の重要度に応じた順序に配列するものであってもよい。
【００３１】
上記の構成によれば、カウンセラは、重要度の高い疾患に関連する資料を素早く見つけることができるため、ユーザが関心を有する疾患に関するカウンセリングを効率よく行うことができる。
【００３２】
本発明に係るカウンセリングシステムは、本発明に掛かる表示画面生成装置と、当該表示画面生成装置が生成した表示画面を表示するカウンセラ端末と、当該カウンセラ端末が表示中の表示画面を表示すると共に、当該カウンセラ端末と音声通話する、カウンセリングを利用するユーザの端末と、を備えていることを特徴とする。
【００３３】
上記の構成によれば、遠隔地にいるユーザに対して効率よくカウンセリングを行うことができる。
【００３４】
本発明に係る表示画面生成方法は、カウンセリングを利用するユーザに対するカウンセリングの候補となる疾患群に含まれる各疾患の名称を、当該ユーザに対するカウンセリングにおける各疾患の重要度を識別可能に表示する表示画面を生成する表示画面生成ステップを含むことを特徴とする。
【００３５】
上記の構成によれば、本発明に係る表示画面生成装置と同等の効果を奏する。
【００３６】
本発明の各態様に係る表示画面生成装置は、コンピュータによって実現してもよく、この場合には、コンピュータを上記情報処理装置が備える各手段として動作させることにより上記情報処理装置をコンピュータにて実現させる情報処理装置のプログラム、及びそれを記録したコンピュータ読み取り可能な記録媒体も、本発明の範疇に入る。
【発明の効果】
【００３７】
本発明の一態様によれば、ユーザが関心を有する疾患についての効率的なカウンセリングを支援することができるという効果を奏する。
【図面の簡単な説明】
【００３８】
【図１】本実施形態に係る表示管理サーバおよびカウンセラ端末の構成および機能を示すブロック図である。
【図２】本実施形態に係るカウンセリングシステムの構成を示す模式図である。
【図３】本実施形態に係る表示管理サーバにおける画面データ作成処理の流れを示すフローチャートである。
【図４】本実施形態に係るアンケート結果の一例を示す図である。
【図５】本実施形態に係るカウンセリング画面（「リスクを高める習慣と疾患」を表示する画面）の構成例を示す図である。
【図６】本実施形態に係るカウンセリング画面（「リスクを軽減する習慣と疾患」を表示する画面）の構成例を示す図である。
【図７】本実施形態に係るカウンセリング画面の構成例を示す図であり、特に、疾患名称の重要度を識別するための表示例を示す。
【発明を実施するための形態】
【００３９】
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００４０】
〔カウンセリングシステム〕
まず、本実施形態に係るカウンセリングシステム１の構成について、図２を参照して説明する。図２は、本実施形態に係るカウンセリングシステム１の構成を示す模式図である。
【００４１】
図２に示すように、カウンセリングシステム１は、表示管理サーバ（表示画面生成装置）１０、健康情報ＤＢ（データベース）２０、カウンセラ端末３０、ユーザ端末４０、および、検査装置５０を含んで構成されている。
【００４２】
本実施形態に係るカウンセリングシステム１において、ユーザ端末４０を所有するユーザは、まず、自身の遺伝子が含まれる被験体サンプル（例えば、唾液、血液などの体液、口腔粘膜などの組織など）を所定の機関に送付する。所定の機関は、例えば、病院であってもよいし、遺伝子の解析が可能な研究施設であってもよいし、表示管理サーバ１０によるサービスを提供する機関などであってもよい。所定の機関は、ユーザから送られた被験体サンプルからユーザの遺伝子を解析し、解析結果を健康情報ＤＢ２０に格納する。ユーザは、テレビ会議機能を有するユーザ端末４０を利用して、表示管理サーバ１０にアクセスすることにより、自身の遺伝子検査結果などを確認することができる。
【００４３】
そして、ユーザが、関心のある疾患についてカウンセリングを受ける場合、カウンセリングの前に、表示管理サーバ１０からユーザ端末４０に提供される図４に示すようなアンケート画面に対して入力を行う。図４に示すように、入力されたアンケート結果には、ユーザが「気になる」疾患、ユーザがアドバイスを受けてみたい疾患等の、ユーザの各疾患に対する関心の度合いを示す情報が含まれる。
【００４４】
カウンセリングは、カウンセラ端末３０を使用するカウンセラと、ユーザ端末４０を使用するユーザとの間で行われる。栄養士などのカウンセラは、カウンセラ端末３０を利用して、表示管理サーバ１０にアクセスすることにより、ユーザのアンケート結果、遺伝子検査結果などを確認するとともに、それらに応じて表示管理サーバ１０が生成するカウンセリング用の表示画面を参照することができる。
【００４５】
カウンセラ端末３０およびユーザ端末４０は、共にテレビ会議機能を有しており、音声通話、互いの姿を撮像するカメラ画像の送受信、カウンセラ端末３０に表示中の表示画面の共有等が実現される。このようなテレビ会議機能は、市販のテレビ会議システムを利用することにより実現し得る。これにより、カウンセラは、遠隔地にいるユーザに対してカウンセリングを行うことができる。なお、遠隔ではなく、ユーザと、カウンセラとが実際に対面でカウンセリングを行う際に、カウンセラ端末３０を活用してもよい。
【００４６】
ここで、表示管理サーバ１０が生成するカウンセリング用の表示画面は、ユーザに対するカウンセリングの候補となる疾患群に含まれる各疾患の名称を、当該ユーザに対するカウンセリングにおける各疾患の重要度が識別可能となるように表示するものである。ゆえに、カウンセラ端末３０に表示された当該表示画面を見たカウンセラは、当該カウンセリングにおいて重要な疾患を素早く把握することができる。これにより、カウンセラは、限られた時間の中で、ユーザが関心を有する疾患についての効率的なカウンセリングを行うことができる。なお、上記重要度の詳細については後述する。
【００４７】
（表示管理サーバ）
表示管理サーバ１０は、各カウンセラの所有するカウンセラ端末３０からの画面要求に応じて、健康情報ＤＢ２０から健康に関するカウンセリングの対象となるユーザのアンケート結果、遺伝子検査結果、疾患関連情報などを取得し、それらの情報に応じてカウンセリング用の表示画面を作成し、カウンセラ端末３０に提供する。
【００４８】
なお、本実施形態では、実世界に存在する疾患のうち、互いに異なる疾患を「疾患Ａ」、「疾患Ｂ」、「疾患Ｃ」、…のように記載するものとする。
【００４９】
（健康情報ＤＢ）
健康情報ＤＢ２０には、健康に関する情報が格納されている。また、健康情報ＤＢ２０に格納されている、健康に関する情報には、以下に説明するように、（１）ユーザに関す情報、（２）疾患および因子の少なくとも何れかに関連する情報などが含まれる。なお、疾患および因子の少なくとも何れかに関連する情報を、以降では単に「関連情報」とも記載する。
【００５０】
ユーザに関する情報には、例えば以下の情報が含まれる。
・ユーザＩＤ：ユーザ毎に割り当てられた固有の識別子
・ユーザ基本情報：例えば名前、年齢、性別、および遺伝子情報など、各ユーザの特性を示す情報。遺伝子検査結果を含む。
・発症リスク情報：ユーザが各疾患を発症するリスク（発症リスク）を示す情報。発症リスクは、当該ユーザの遺伝子検査結果を参照することによって算出される。
・健康診断情報：ユーザが病院などで受けた健康診断および診療などに関する情報
・処方情報：ユーザが病院および薬局などで受けた処方箋などに関する情報
なお、発症リスクは、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００５１】
また、健康診断情報、および、処方情報は、例えば、表示管理サーバ１０が、ユーザ端末４０において実行されるアプリケーション、又は、ウェブブラウザなどから入力された情報を、ネットワークを介して取得すればよい。
【００５２】
なお、ユーザに関する情報（ユーザＩＤを除く）、および、関連情報は、それぞれ対応するユーザＩＤに関連付けられて格納されている。
【００５３】
また、関連情報には、例えば以下の情報が含まれる。
・統計情報：疾患や因子に関する統計的な情報
・運動関連情報：ユーザの運動などに関する情報
・食事関連情報：ユーザの食事などに関する情報
・因子−疾患相関情報：因子と疾患との相関関係を示す情報
・因子関連情報：因子の性質、および、因子による健康への影響、アドバイスなどに関する情報。因子名称を含む。
・疾患関連情報：疾患の性質などに関する情報。疾患名称を含む。
・アンケート結果：カウンセリングを受ける前にユーザが回答したアンケートの結果。詳細については後述する。
【００５４】
また、統計情報には、各遺伝子型に関して、ゲノムＤＮＡ上に特定の塩基配列が存在する割合を示す頻度データが含まれる。
【００５５】
また、運動関連情報は、例えば、ユーザが使用する健康器具などからネットワークを介して取得されてもよい。
【００５６】
なお、ユーザに関する情報、および、関連情報に含まれる情報は、上述の情報に限定されるものではない。例えば、関連情報には、上述の情報に加えて、因子および疾患の少なくとも何れかに関する詳細な情報が含まれていてもよいし、因子を含むユーザ向けメッセージが含まれていてもよいし、疾患に関するアドバイスが含まれていてもよい。
【００５７】
（カウンセラ端末）
カウンセラ端末３０は、表示管理サーバ１０に対して、対象ユーザに関する、因子ごとに疾患の名称およびその重要度を表す画面データを要求し、表示管理サーバ１０から当該画面データを受信し、表示する。さらに、カウンセラ端末３０は、当該画面データをユーザ端末４０に提供する。表示管理サーバ１０が当該画面データをユーザ端末４０に提供してもよい。なお、因子に関係なく、疾患の名称およびその重要度を表す画面データであってもよい。カウンセラ端末３０としては、例えば、ＰＣ（パーソナルコンピュータ）、携帯電話、スマートフォン、および、タブレット端末などを挙げることができるが、本実施形態はこれらに限定されるものではない。カウンセラ端末３０の具体的な構成については、参照する図面を替えて後述する。
【００５８】
（ユーザ端末）
ユーザ端末４０は、表示管理サーバ１０またはカウンセラ端末３０から提供される、因子ごとに疾患の名称およびその重要度を表す画面データを表示する。なお、因子に関係なく、疾患の名称およびその重要度を表す画面データであってもよい。ユーザ端末４０としては、例えば、ＰＣ（パーソナルコンピュータ）、携帯電話、スマートフォン、および、タブレット端末などを挙げることができるが、本実施形態はこれらに限定されるものではない。
【００５９】
（検査装置）
検査装置５０は、ユーザの被験体サンプルが送付される所定の機関に設置された装置であって、送付された被験体サンプルからユーザの遺伝子を解析する装置である。なお、検査装置５０については従来の装置を使用することができるため、ここではその詳細な説明は省略する。
【００６０】
検査装置５０は、ユーザの遺伝子の解析結果（遺伝子検査結果）を上述のユーザ基本情報の１つとして、健康情報ＤＢ２０に格納する。また、本実施形態では、検査装置５０は、ユーザの遺伝子の解析結果に基づき、該ユーザの各疾患の発症リスクを算出するとともに、算出した発症リスクを該ユーザの発症リスク情報として健康情報ＤＢ２０に格納する。
【００６１】
検査装置５０は、ユーザの遺伝子に含まれる遺伝子マーカー（例えば、ＳＮＰ）を直接検出するものであってもよいし、ユーザの遺伝子のシーケンスデータを読み取り、当該シーケンスデータから遺伝子マーカーを検出するものであってもよい。そして、検査装置５０は、検出した遺伝子マーカーと各種の疾患との関連性情報を参照して、ユーザの各疾患の発症リスクを算出する。遺伝子マーカーと各種の疾患との関連性情報は、例えば、種々の研究論文情報を根拠として予め作成されたものであり得る。
【００６２】
なお、検査装置５０においてユーザの各疾患の発症リスクを算出する構成を例に挙げて説明したが、本発明はこれに限定されるものではない。例えば、表示管理サーバ１０が、健康情報ＤＢ２０に格納されている健康情報の解析結果を参照して、ユーザの遺伝子の解析結果から該ユーザの各疾患の発症リスクを算出し、健康情報ＤＢ２０に格納する構成を採用することもできる。また、表示管理サーバ１０が、ユーザの遺伝子のシーケンスデータから遺伝子マーカーを検出してもよい。
【００６３】
〔表示管理サーバ、カウンセラ端末の構成〕
次に、本実施形態に係るカウンセリングシステム１に含まれる表示管理サーバ１０およびカウンセラ端末３０の構成について、図１を参照して説明する。図１は、本実施形態に係る表示管理サーバ１０およびカウンセラ端末３０の構成および機能を示すブロック図である。なお、図１では、説明の簡単化のため、カウンセリングシステム１の備える表示管理サーバ１０、健康情報ＤＢ２０、および、カウンセラ端末３０のみを図示し、他の構成は省略している。
【００６４】
（表示管理サーバの構成）
図１に示すように、本実施形態に係る表示管理サーバ１０は、通信部１０１、制御部１１０、および、記憶部１２０を備えている。
【００６５】
通信部１０１は、カウンセラ端末３０およびユーザ端末４０（図２参照）とネットワークを介して通信を行うインターフェースである。
【００６６】
制御部１１０は、情報取得部１１１、疾患特定部１１２、対応付け部１１３、重要度付与部１１４、画面作成部（表示画面生成部）１１５、および、画面送信部１１６としての機能を有している。
【００６７】
情報取得部１１１は、健康情報ＤＢ２０からユーザのアンケート結果１２１および発症リスク情報を含む遺伝子検査結果１２２、ならびに、因子名称１２４を取得し、記憶部１２０に記憶する。
【００６８】
疾患特定部１１２は、ユーザのアンケート結果１２１に応じて、当該ユーザに対するカウンセリングの候補となる疾患群を特定し、当該疾患群に含まれる疾患名称１２３を記憶部１２０に記憶する。
【００６９】
対応付け部１１３は、上記特定した疾患群に含まれる各疾患を、当該疾患の発症に影響する因子に対応付けることによって、因子−疾患対応情報１２５を作成し、記憶部１２０に記憶する。
【００７０】
重要度付与部１１４は、ユーザのアンケート結果および遺伝子検査結果に応じて、疾患に重要度を付与することによって、疾患−重要度対応情報１２７を作成し、記憶部１２０に記憶する。
【００７１】
画面作成部１１５は、疾患名称１２３、因子名称１２４、因子−疾患対応情報１２５および疾患−重要度対応情報１２７を参照して、因子ごとに、当該因子に対応する疾患名称について重要度を識別可能に表したカウンセリング用の表示画面を生成する。なお、本実施形態において、表示画面を生成するとは、カウンセラ端末３０において当該表示画面を表示するために参照される画面データ（例えば、ＨＴＭＬ形式のデータ、ＸＭＬ形式のデータなど）を生成することを指し、画面作成部１１５は、カウンセリング用の表示画面の画面データ１２８を作成して、記憶部１２０に記憶する。
【００７２】
画面送信部１１６は、記憶部１２０から画面データ１２８を読み出し、その画面データ１２８を、通信部１０１を介して、カウンセラ端末３０に送信する。
【００７３】
記憶部１２０には、アンケート結果１２１、遺伝子検査結果１２２、疾患名称１２３、因子名称１２４、因子−疾患対応情報１２５、疾患−重要度対応情報１２７、および、画面データ１２８が記憶されている。
【００７４】
（カウンセラ端末の構成）
カウンセラ端末３０は、図１に示すように、通信部３０１、制御部３０２、表示部３０３、および、操作部３０４を備えている。
【００７５】
通信部３０１は、表示管理サーバ１０およびユーザ端末４０（図２参照）とネットワークを介して通信を行うインターフェースである。通信部３０１は、表示管理サーバ１０の通信部１０１から、当該カウンセラ端末３０に表示する表示画面を示す画面データを受信する。例えば、ＨＴＭＬ形式で受信された画面データは、ブラウザである表示部３０３によって表示される。
【００７６】
操作部３０４は、カウンセラ端末３０に対するユーザ操作を受け付ける。例えば、操作部３０４は、ユーザを示すユーザＩＤの入力を受け付ける。また、操作部３０４は、表示画面における何れかのオブジェクトにフォーカスを合わせるユーザ操作（これは、例えば、当該オブジェクトにカーソルを重畳させることによってなされる）、及び、表示画面における何れかのオブジェクトを選択するユーザ操作（これは、例えば、当該オブジェクトにフォーカスを合わせたうえで、ボタンを押下すること等によってなされる）を受け付ける。
【００７７】
制御部３０２は、カウンセラ端末３０にの備える各部を統合的に制御する。また、制御部３０２は、通信部３０１において受信した表示画面データの示す表示画面を表示するよう表示部３０３を制御する。さらに、操作部３０４を操作することにより入力されたユーザＩＤを表示管理サーバ１０に送信するよう通信部３０１を制御する。
【００７８】
〔画面データの作成処理〕
次に、本実施形態に係る表示管理サーバ１０における画面データ作成処理の流れについて、図３を参照して説明する。図３は、本実施形態に係る表示管理サーバ１０における画面データ作成処理の流れを示すフローチャートである。
【００７９】
（ステップＳ３０１）
まず、表示管理サーバ１０の情報取得部１１１は、健康情報ＤＢ２０に対して、ユーザのユーザＩＤが指定されたユーザ疾患関連情報の出力を指示し、その応答として、健康情報ＤＢ２０から当該ユーザＩＤのアンケート結果１２１、および、発症リスク情報を含む遺伝子検査結果１２２を取得し、記憶部１２０に記憶する。情報取得部１１１は、また、健康情報ＤＢ２０から因子名称１２４を取得して記憶部１２０に記憶する。
【００８０】
ユーザが記入したアンケート結果１２１について、図４を参照して説明する。図４は、本実施形態に係る、ユーザによって記入され、表示管理サーバ１０で管理され、カウンセラ端末３０で参照されるアンケート結果１２１の一例を示す図である。本アンケートは、健康に関するカウンセリングを受ける前に、ユーザに対して記入を依頼するものである。
【００８１】
図４に示すように、「１．」では、『あなたが「気になる」疾患を選んでください。』との指示に対して、「あなたの遺伝子型が平均発症リスクより大きい疾患」および「その他（任意選択）」が選択されている。「２．」では、『上記で「その他（任意選択）」を選んだ方は、以下から疾患を選んでください。』との指示に対して、疾患Ａ〜Ｙが選択されている。
【００８２】
「３．」では、「アドバイスを受けてみたい疾患を最高３つまで選んでください。」との指示に対して、疾患Ａ、Ｂ、および、Ｔが選択されている。４．では、「上記で選択した疾患について、アドバイスを受けたいと考えている理由を教えてください。」との指示に対して、空欄になっている。これらのアンケート結果１２１の「１．」、「２．」および「３．」は、ユーザの各疾患に対する関心の度合いを示す。
【００８３】
なお、アンケートは、カウンセリングの前に行われる。すなわち、遺伝子検査を終えたユーザの中の希望者が、カウンセリングプログラムを購入して、予約する際にアンケートに記入する。ただし、アンケートはなくても、カウンセリングを受けることはできる。ただし、その場合には、画面データにおける疾患の色付けは行われない。
【００８４】
（ステップＳ３０２）
次に、表示管理サーバ１０の疾患特定部１１２は、記憶部１２０からユーザのアンケート結果１２１および遺伝子検査結果１２２を読み出し、当該アンケート結果１２１に応じて、ユーザに対してカウンセリングの候補となる疾患群を特定し、当該疾患を疾患名称１２３として記憶部１２０に記憶する。
【００８５】
詳細には、疾患特定部１１２は、アンケート結果１２１の「１．」において、「その他（任意選択）」が選択されていた場合、アンケート結果１２１の「２．」において選択された疾患を、カウンセリングの候補となる疾患となる疾患として特定する。また、疾患特定部１１２は、アンケート結果１２１の「１．」において、「あなたの遺伝子型が平均発症リスクより大きい疾患」が選択されていた場合、遺伝子検査結果１２２において発症リスクが所定の基準（例えば平均発症リスク）よりも悪い疾患を、カウンセリングの候補となる疾患として特定する。このように、疾患特定部１１２は、ユーザの各疾患に対する関心の度合いを示す情報およびユーザの各疾患に関する遺伝子検査結果を示す情報の少なくとも一方に応じて、カウンセリングの候補となる疾患群を特定する。
【００８６】
例えば、図４に示すアンケート結果によれば、疾患特定部１１２は、まず、２．および３．で選択された疾患Ａ〜Ｙを、カウンセリングの候補となる疾患として特定し、さらに、遺伝子検査結果１２２に応じて、発症リスクが平均発症リスクよりも悪い疾患をカウンセリングの候補となる疾患として特定する。
【００８７】
（ステップＳ３０３）
そして表示管理サーバ１０の対応付け部１１３は、健康情報ＤＢ２０の因子−疾患相関情報を参照して、Ｓ３０２で特定した疾患を、当該疾患の発症に影響する因子に対応付けるとともに、その対応付けを因子−疾患対応情報１２５として記憶部１２０に記憶する。
【００８８】
例えば、対応付け部１１３は、疾患Ａ、Ｂ、および、Ｃを、生活習慣（因子）である「適度な飲酒」に対応付けることができる（図６参照）。
【００８９】
（ステップＳ３０５）
表示管理サーバ１０の重要度付与部１１４は、記憶部１２０からユーザのアンケート結果１２１および遺伝子検査結果１２２を読み出し、アンケート結果１２１および遺伝子検査結果１２２に応じて、カウンセリングの候補として特定された疾患群に含まれる各疾患について、重要度を付与し、当該付与した結果を疾患−重要度対応情報１２７として記憶部１２０に記憶する。
【００９０】
詳細には、重要度付与部１１４は、アンケート結果１２１に示されるユーザの各疾患に対する関心の程度が所定の度合いよりも高い疾患（ユーザが「アドバイスを受けたい疾患」として選択した疾患）に高い重要度を付与することができる。すなわち、重要度付与部１１４は、ユーザの各疾患に対する関心の程度を示す情報に応じて重要度を付与することができる。また、重要度付与部１１４は、遺伝子検査結果１２２に示されるユーザの各疾患の遺伝子検査結果が所定の基準よりも悪い疾患に高い重要度を付与することができる。すなわち、重要度付与部１１４は、ユーザの各疾患の遺伝子検査結果を示す情報に応じて重要度を付与することもできる。
【００９１】
例えば、重要度付与部１１４は、ユーザの当該疾患に対する関心の程度が所定の度合いよりも高く、ユーザの当該疾患に対する遺伝子検査結果が所定の基準よりも悪い疾患に対して、最も高い重要度を付与し、ユーザの当該疾患に対する関心の程度が所定の度合いよりも高いが、ユーザの当該疾患に対する遺伝子検査結果が所定の基準よりよい疾患、および、ユーザの当該疾患に対する関心の程度が所定の度合い以下であるが、ユーザの当該疾患に対する遺伝子検査結果が所定の基準よりも悪い疾患に対して、次に高い重要度を付与し、最も高い重要度を付与し、ユーザの当該疾患に対する関心の程度が所定の度合い以下であり、ユーザの当該疾患に対する遺伝子検査結果が所定の基準よりよい疾患に対して、最も低い重要度を付与してもよい。
【００９２】
（ステップＳ３０６）
表示管理サーバ１０の画面作成部１１５は、カウンセラ端末３０の表示部３０３およびユーザ端末４０の表示部に表示される表示画面の画面データ１２８を作成する。詳細には、以下の手順を実行する。なお、画面作成部１１５は、以下の手順をどのような順序で行ってもよく、並行して行ってもよい。
（Ｓ１）画面作成部１１５は、記憶部１２０から因子名称１２４および因子−疾患対応情報を読み出し、因子毎に、対応する疾患の名称が配列されるように表示画面を生成する。疾患の名称の順序は、ユーザにとっての重要度に応じた順序としてもよい。
（Ｓ２）画面作成部１１５は、記憶部１２０からユーザの疾患−重要度対応情報１２７を読み出し、各疾患の名称を、それらの重要度が識別可能になるように装飾する。例えば、画面作成部１１５は、各疾患の名称の周囲に、重要度を示すシンボルを付加してもよい。装飾の態様のバリエーションについては後述する。
（Ｓ３）画面作成部１１５は、さらに、その他の操作用ボタン等の要素（図５参照）を適宜配し、完成した画面データを、画面データ１２８として記憶部１２０に記憶する。
【００９３】
（ステップＳ３０７）
表示管理サーバ１０の画面送信部１１６は、記憶部１２０から画面データ１２８を読み出し、通信部１０１を用いて、当該画面データをカウンセラ端末３０に送信する。
【００９４】
その後、カウンセラ端末３０の通信部３０１は、表示管理サーバ１０から上記画面データを受信し、制御部３０２は、通信部３０１から当該画面データを取得し、表示部３０３に表示するように制御する。
【００９５】
さらに、制御部３０２は、通信部３０１を用いて、当該画面データをユーザ端末４０に提供し、ユーザ端末４０は、カウンセラ端末３０から提供された画面データを表示する。
【００９６】
上記の処理により、表示管理サーバ１０の画面作成部１１５により作成された画面データが、カウンセラ端末３０の表示部３０３およびユーザ端末４０の表示部（図示せず）に表示される。従って、カウンセラ端末３０と、ユーザ端末４０との間のテレビ会議機能により、お互いの顔を見て対話するとともに、カウンセラと、ユーザとが同じ画面データを参照しながら、ユーザが関心を有する疾患に関するカウンセリングを進めることができる。
【００９７】
また、画面データには、カウンセリングの候補となる疾患が、ユーザにとっての重要度に応じて配される。従って、カウンセラは、一目で疾患の重要度が分かるので、ユーザに対するカウンセリングにおいて、説明する疾患の順序を決める際の参考にすることができる。
【００９８】
〔画面の構成例〕
次に、本実施形態に係るカウンセリング画面の構成例について、図５、図６、図７を参照して説明する。
【００９９】
カウンセリングの対象となるユーザは、遺伝子検査を受けた後に、健康に関するカウンセリングプログラムを購入したユーザである。カウンセリング用の表示画面は、カウンセラがユーザに対してカウンセリングを行うときにカウンセラ端末３０およびユーザ端末４０に表示される。カウンセリング用の表示画面の操作（表示切り替えなど）は、カウンセラが行い、ユーザは操作できない。アイコンで切り替わる項目は、遺伝子検査結果、事前にユーザに依頼したアンケートの回答結果などである。タブで切り替わるスライドのコンテンツの内容は、ユーザによらず同じであり、カウンセラが、カウンセリングの流れに合わせて表示するコンテンツを決める。
【０１００】
図５は、本実施形態に係るカウンセリング用の表示画面Ｇ１の構成例を示す図である。図５に示すように、表示画面Ｇ１は、「リスクを高める習慣と疾患」を表示する画面である。
【０１０１】
画面作成部１１５は、表示画面Ｇ１において、上部に、６個のアイコンＩ１〜Ｉ６、タブＴ１〜Ｔ３を表示させる。アイコンＩ１〜Ｉ６は、遺伝子検査結果、健康診断結果、生活習慣アンケートなどの画面を表示するための操作ボタンである。アイコンＩ１がポインティングされると、制御部３０２は、表示部３０３に、遺伝子検査結果を表示させる。アイコンＩ２がポインティングされると、制御部３０２は、表示部３０３に、健康診断結果を表示させる。アイコンＩ３がポインティングされると、制御部３０２は、表示部３０３に「リスクを高める習慣と疾患」（図５参照）を表示させる。アイコンＩ４がポインティングされると、制御部３０２は、表示部３０３に、「リスクを軽減する習慣と疾患」（図６参照）を表示させる。アイコンＩ５がポインティングされると、制御部３０２は、表示部３０３に、食事記録を表示させる。アイコンＩ６がポインティングされると、制御部３０２は、表示部３０３に、遺伝子検査結果を表示させる。
【０１０２】
タブＴ１〜Ｔ３は、疾患に関する情報、喫煙、運動などの生活習慣の関する解説などのコンテンツを表示するためのプルダウンメニューであり、タブＴ１〜３の操作によって表示されるコンテンツの内容は、ユーザによらず、同じである。本実施形態において、カウンセラが、タブＴ１〜３をポインティングすると、制御部３０２は表示部３０３にコンテンツの名称の一覧を表示する入力画面を表示させる。当該入力画面は、表示すべきコンテンツを選択するための入力画面であり、表示管理サーバ１０の画面作成部１１５が予め作成し、カウンセラ端末３０に配信されたものである。画面作成部１１５は、当該入力画面において、各コンテンツの名称を、当該コンテンツに関連する疾患の重要度に応じた順序に配列する。これにより、カウンセラは、目的のコンテンツを、より素早く見つけることができ、効率的なカウンセリングを行うことができる。
【０１０３】
カウンセラが、入力画面において何れかのコンテンツの名称をポインティングすると、制御部３０２は表示部３０３に対応するコンテンツを表示する第二の表示画面を表示させる。当該第二の表示画面は、表示管理サーバ１０の画面作成部１１５が予め作成し、カウンセラ端末３０に配信してもよいし、入力画面において何れかのコンテンツの名称がポインティングされたときに、制御部３０２が通信部３０１に何れのコンテンツの名称がポインティングされたかを示す情報を、表示管理サーバ１０に送信させ、当該情報に応じて、表示管理サーバ１０の画面作成部１１５が上記第二の表示画面を作成して、カウンセラ端末３０に配信するようにしてもよい。
【０１０４】
「リスクを高める習慣と疾患」の下には、疾患別に表示するか否かを示す欄がある。その欄には、アンケートで訊かれた「アドバイスを受けたい疾患」、「診察結果が基準外の疾患」および「気になる疾患」が表示され、その左側に配されたチェックボックスにより、「アドバイスを受けたい疾患」、「診察結果が基準外の疾患」および「気になる疾患」の夫々に対応する疾患を表示するか否かを選択可能である。
【０１０５】
画面作成部１１５は、表示画面Ｇ１において、運動・生活の欄には、生活習慣（因子）の名称として喫煙、飲酒、肥満、肥満（閉経後）を縦に配し、生活習慣（因子）ごとに、疾患の名称として疾患Ａ、疾患Ｂなどが横に配している。このように、画面作成部１１５が、表示画面Ｇ１において、各疾患に関連する因子毎に、各疾患の名称を示すことで、カウンセラは、因子と疾患との対応関係を容易に把握することができる。
【０１０６】
また、画面作成部１１５は、表示画面Ｇ１において、各疾患名称の左側に、色分けした円形のシンボルを表示させる。この円形のシンボルによって、各疾患の重要度を識別可能になっている。
【０１０７】
本実施形態において、画面作成部１１５は、各円形のシンボルについて、対応する疾患がユーザの各疾患に対する関心の程度が所定の度合いよりも高い疾患（ユーザが「アドバイスを受けたい疾患」として選択した疾患）であれば、当該円形のシンボル内に第一の色の領域（図中ハッチングされた領域）を含ませ、対応する疾患がユーザの遺伝子検査結果が所定の基準よりも悪い疾患（「診察結果が基準外の疾患」）であれば、当該円形のシンボル内に第一の色とは異なる第二の色の領域（図中ドットが打たれた領域）を含ませ、対応する疾患が「気になる疾患」であれば、当該円形のシンボル内に第一の色および第二の色とは異なる第三の色の領域（図中白抜き領域）を含ませる。これにより、各疾患の名称は、その重要度が識別可能になるように表示され、カウンセラは、各疾患の重要度をひと目で把握できると共に、特定の種類の疾患（例えば、「アドバイスを受けたい疾患」または「診察結果が基準外の疾患」）を容易に選別することができる。
【０１０８】
例えば、疾患Ａの左側の円形のシンボルは、斜線および白地なので、疾患Ａは、ユーザにとって「アドバイスを受けたい疾患」および「気になる疾患」であることを示す。次に、疾患Ｂおよび疾患Ｔの左側の円形のシンボルは、斜線、白地、および、点なので、疾患Ｂおよび疾患Ｔは、ユーザにとって「アドバイスを受けたい疾患」および「気になる疾患」であり、かつ、「診察結果が基準外の疾患」であることを示す。そして、疾患Ａ、疾患Ｂおよび疾患Ｔ以外の疾患の左側の円形のシンボルは、白地なので、当該疾患は、ユーザにとって「気になる疾患」であることを示す。
【０１０９】
なお、当該シンボルは、円形に限定されず、また、重要度を識別可能に示すものであれば、色分けされている必要はなく、重要度に応じて形状および色彩の少なくとも一方が異なっていればよい。また、当該シンボルは、各疾患の名称の左側に表示されている必要はなく、各疾患の名称との対応関係が示されるように各疾患の名称の周囲に表示されていればよい。
【０１１０】
また、画面作成部１１５は、表示画面Ｇ１において、各疾患の重要度に応じて、因子毎に表示された疾患名称を、各疾患の重要度に応じた順序に配列してもよい。例えば、「アドバイスを受けたい疾患」の名称を先（左側）に表示するようにしてもよいし、「診察結果が基準外の疾患」を先（左側）に表示するようにしてもよい。これにより、カウンセラは、重要な疾患を容易に把握することができると共に、重要度の高い疾患を表示画面中において容易に探し出すことができる。
【０１１１】
図６は、本実施形態に係るカウンセリング用の表示画面Ｇ２の構成例を示す図である。図６に示すように、表示画面Ｇ２は、「リスクを軽減する習慣と疾患」を表示する画面である。表示画面Ｇ１と同様の部分については、説明を省略する。
【０１１２】
画面作成部１１５は、表示画面Ｇ３において、運動・生活の欄には、生活習慣（因子）の名称として適度な飲酒、肥満（閉経後）、適量な運動、運動（閉経後）、余暇活動を縦に配し、生活習慣ごとに、疾患の名称として疾患Ａ、疾患Ｂ、疾患Ｃなどを横に配する。食品・飲料の欄には、生活習慣の名称として未精製穀類、緑黄色野菜が横に配され、生活習慣ごとに、疾患の名称として疾患Ａ、疾患Ｇなどが横に配される。
【０１１３】
表示画面Ｇ２は、表示画面Ｇ１と比較すると、生活習慣と、疾患との関係が異なるだけであり、その他の表示は同様である。
【０１１４】
図７は、本実施形態に係る疾患名称の重要度を識別するための表示例を示す。図７（ａ）〜（ｅ）のいずれも、疾患Ａ、疾患Ｂ、疾患Ｃの順に重要度が高いことを示している。図７（ａ）は、文字色によって重要度を識別する例を示す。例えば、赤、橙、青の順に重要度が高いものとする。図７（ｂ）は、文字の大きさによって重要度を識別する例を示す。例えば、文字が大きいほど、重要度が高いものとする。
【０１１５】
図７（ｃ）は、囲みの色によって重要度を識別する例を示す。例えば、赤、黄、水色の順に重要度が高いものとする。図７（ｄ）は、囲みの形状によって重要度を識別する例を示す。例えば、星形、雲形、角丸長方形の順に重要度が高いものとする。図７（ｅ）は、文字のフォントによって重要度を識別する例を示す。
【０１１６】
なお、本実施形態は、上記の例に限らない。例えば、上記５種類の表示例の、少なくとも２つを組み合わせてもよい。また、別の表示例として、ランク付け（１、２、３・・・／Ａ、Ｂ、Ｃ・・・）を疾患名称の左側に付記してもよいし、疾患名称を最重要、重要、その他に分類してもよい。
【０１１７】
〔カウンセリング後のレポート例〕
カウンセリングシステム１により、カウンセラがユーザにカウンセリングした後、サービスの一環として、数日以内に、メールなどにより当該ユーザとなったユーザに健康に関するレポートを送付してもよい。なお、カウンセリングで参照したカウンセリング用の表示画面をメールに添付して送ってもよい。当該レポートには、ユーザが行うべき行動（生活習慣）が記載されたものとすることができる。上記によれば、ユーザと、カウンセラとの間で行われたカウンセリングを実効性のあるものにすることができる。
【０１１８】
〔本実施形態の効果〕
上記において説明した本実施形態に係るカウンセリングシステム１によれば、以下の効果を奏する。
（１）ユーザの遺伝子検査結果に応じて、因子および疾患に重要度を付与し、それらの重要度が識別可能なように、因子の名称と、当該因子が発症に影響を与える疾患の名称とを表示するので、アドバイスを提供するカウンセラは、因子および疾患の重要度を参考にして、効率よくカウンセリングを進めることができる。
（２）ユーザのアンケート結果および遺伝子検査結果の少なくともいずれか一方に応じて、疾患名称の表示順序を変更するので、カウンセラは、疾患名称の表示順序を検討しなくても済む。
（３）アンケート結果に応じた色分け表示は、ユーザの関心、ニーズを考慮しながら、カウンセリングの進め方を検討する際などに利用することにより、効率のよいアドバイスを実施することができる。
（４）ユーザと、カウンセラとの間でカウンセリング画面を共有し、テレビ会議の機能を活用することにより、カウンセラが、遠隔地にいるユーザに対して説明しやすくなり、実効性のあるカウンセリングを実現することができる。
【０１１９】
〔ソフトウェアによる実現例〕
図１に示す表示管理サーバ１０の各機能ブロック（特に、制御部１１０）は、集積回路（ＩＣチップ）等に形成された論理回路（ハードウェア）によって実現してもよいし、ＣＰＵ（Central Processing Unit）を用いてソフトウェアによって実現してもよい。
【０１２０】
後者の場合、表示管理サーバ１０は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２２】
本発明は、表示画面を生成するサーバに好適に利用することができる。
【符号の説明】
【０１２３】
１  カウンセリングシステム
１０  表示管理サーバ（表示画面生成装置）
２０  健康情報ＤＢ
３０  カウンセラ端末
４０  ユーザ端末
１０１  通信部
１１０  制御部
１１１  情報取得部
１１２  疾患特定部
１１３  対応付け部
１１４  重要度付与部
１１５  画面作成部（表示画面生成部）
１１６  画面送信部
１２０  記憶部
３０１  通信部
３０２  制御部
３０３  表示部
３０４  操作部
【図１】
0006411193.tif 000002
【図２】
0006411193.tif 000003
【図３】
0006411193.tif 000004
【図４】
0006411193.tif 000005
【図５】
0006411193.tif 000006
【図６】
0006411193.tif 000007
【図７】
0006411193.tif 000008